(57)【特許請求の範囲】
【請求項１】
一枚のブランクから成形された水平断面形状が長方形状の紙箱であって、前記ブランクが、右側から左側へ貼着板、左側面板、正面板、右側面板、裏面板がそれぞれ縦の折り目線を介して順次連設し、前記左側面板の上端に左側上フラップを横の折り目線を介して連設し、前記左側面板の下端に左側下側ラップを横の折り目線を介して連設し、前記正面板の上端に表示パネルを左右両端部のジッパー引裂き線および横の折り目線を介して連設し、前記正面板の下端に外側底面板を横の折り目線を介して連設し、前記右側面板の上端に右側上フラップを横の折り目線を介して連設し、前記右側面板の下端に右側下側ラップを横の折り目線を介して連設し、前記裏面板の上端に天面板を横の折り目線を介して連設し、該天面板の上端に開封板を横の折り目線を介して連設し、該開封板の上端中央部位置に差込み片を横の折り目線を介して連設し、前記裏面板の下端に内側底面板を横の折り目線を介して連設し、前記正面板の前記開封板の差込み片と対応する位置に差込み線部を設け、該差込み線部と横の折り目線を介して対称となる前記表示パネルの位置に差込み線部を設け、前記正面板の上端部中央に、前記開封板の裏面に対応する貼付け部を、前記正面板の上端の左右両端部から連続させて前記ジッパー引裂き線で形成したものであり、前記紙箱を開封板によって開封したときに、前記開封板の裏面に貼着している前記正面板の貼付け部と連接する前記紙箱内の表示パネルが、天面板が開口するにつれて前記紙箱の正面板の裏面に摺接しながら前記紙箱内に収納する内容物を覆い被せるようにして引き出されて来ることを特徴とする表示パネル引出し型紙箱。
【請求項２】
前記表示パネルの巾が、前記紙箱に収納する内容物よりも広いことを特徴とする請求項１記載の表示パネル引出し型紙箱。
【請求項３】
前記表示パネルの先端の巾が、前記表示パネルの開封板側の巾より狭いことを特徴とする請求項１又は２に記載の表示パネル引出し型紙箱。
【発明の詳細な説明】
【技術分野】
【０００１】
本発明は、表示面積の拡大が可能であり、注意事項を必ず使用者へ喚起することができ、また、子供などが内容物を誤用することが防げる表示パネル引出し型紙箱に関するものである。
【背景技術】
【０００２】
従来、紙箱においては、表示面積を拡大することがユーザー側から強く求められていた。例えば、薬事法の改正により、薬の注意点（副作用、飲み方など）を詳しく説明することが必要となり、紙箱の表示の拡大が製薬会社などから強く求められていた。このため、紙箱の表示面積の拡大について、多くの発明や考案がなされていた。例えば、側面板に切り離し自在に表示板を連結したもの（例えば、特許文献１参照。）、また、表示カードが箱体形成板と一体で紙箱に内蔵されているもの（例えば、特許文献２参照。）などがあった。
【特許文献１】実開平２−１０２１６号公報
【特許文献２】特開平１１−２７８４６５号公報
【発明の開示】
【発明が解決しようとする課題】
【０００３】
しかしながら、上述した従来の表示面積を拡大した紙箱は、注意書きを内容物を使用する際に必ず読ませる工夫や、子供などの内容物の誤用を防止するための工夫などはなされていなかった。
【０００４】
本発明は、上述の従来の表示面積を拡大した紙箱の問題点を解決したものであり、表示面積を大きくでき、使用時に内容物の注意事項を喚起し、子供などの内容物の誤用が防せげる表示パネル引出し型紙箱を提供するものである。
【課題を解決するための手段】
【０００５】
すなわち、本発明の第１の発明は、一枚のブランクから成形された水平断面形状が長方
形状の紙箱であって、前記ブランクが、右側から左側へ貼着板、左側面板、正面板、右側面板、裏面板がそれぞれ縦の折り目線を介して順次連設し、前記左側面板の上端に左側上フラップを横の折り目線を介して連設し、前記左側面板の下端に左側下側ラップを横の折り目線を介して連設し、前記正面板の上端に表示パネルを左右両端部のジッパー引裂き線および横の折り目線を介して連設し、前記正面板の下端に外側底面板を横の折り目線を介して連設し、前記右側面板の上端に右側上フラップを横の折り目線を介して連設し、前記右側面板の下端に右側下側ラップを横の折り目線を介して連設し、前記裏面板の上端に天面板を横の折り目線を介して連設し、該天面板の上端に開封板を横の折り目線を介して連設し、該開封板の上端中央部位置に差込み片を横の折り目線を介して連設し、前記裏面板の下端に内側底面板を横の折り目線を介して連設し、前記正面板の前記開封板の差込み片と対応する位置に差込み線部を設け、該差込み線部と横の折り目線を介して対称となる前記表示パネルの位置に差込み線部を設け、前記正面板の上端部中央に、前記開封板の裏面に対応する貼付け部を、前記正面板の上端の左右両端部から連続させて前記ジッパー引裂き線で形成したものであり、前記紙箱を開封板によって開封したときに、前記開封板の裏面に貼着している前記正面板の貼付け部と連接する前記紙箱内の表示パネルが、天面板が開口するにつれて前記紙箱の正面板の裏面に摺接しながら前記紙箱内に収納する内容物を覆い被せるようにして引き出されて来ることを特徴とする表示パネル引出し型紙箱である。
【０００７】
次に、本発明の第２の発明は、前記表示パネルの巾が、前記紙箱に収納する内容物よりも広いことを特徴とする第１の発明に記載の表示パネル引出し型紙箱である。
【０００８】
そして、本発明の第３の発明は、前記表示パネルの先端の巾が、前記表示パネルの開封板側の巾より狭いことを特徴とする第１又は第２の発明に記載の表示パネル引出し型紙箱である。
【発明の効果】
【０００９】
本発明の表示パネル引出し型紙箱は、開封板の裏面に貼着して紙箱内に収納されている表示パネルがあるため、表示面積がその分だけ大きなる。表示パネルは、折り畳んで紙箱内に収納してもよく、表示面積を更に大きくすることができる。
【００１０】
本発明の表示パネル引出し型紙箱は、紙箱を開封板によって開封したときに、天面板が開口するにつれて、内容物の注意事項が書かれた表示パネルが目の前に引き出されて来るため、内容物を使用するときに、内容物の注意事項についての喚起がなされる。
【００１１】
本発明の表示パネル引出し型紙箱は、天面板が開口するにつれて、表示パネルが紙箱の正面板の裏面に摺接しながら収納する内容物を覆い被せるようにして引き出されてくる。このため、内容物を取り出すのには、さらに、もう一段階、表示パネルを取り外す操作が必要となることから、子供などの内容物の誤用を防ぐことができる。
【発明を実施するための最良の形態】
【００１２】
次に、本発明の表示パネル引出し型紙箱の一実施形態について、図を用いて詳細に説明する。
【００１３】
本実施形態の表示パネル引出し型紙箱（１０）は、図１（ａ）に示すように、一枚のブランクから成形された水平断面形状が長方形状の紙箱であり、そして、図１（ｂ）に示すように、開封板（１１３）を上方後方へ移動して、差込み片（１１４）を正面板（１０３）及び表示パネル（１０８）の差込み線部（１３１及び１３２）から抜いて紙箱を開封したときに、開封板（１１３）の裏面に貼着している紙箱内の表示パネル（１０８）が、天面板（１１２）が開口するにつれて紙箱の正面板（１０３）の裏面に摺接しながら紙箱内に収納する内容物を覆い被せるようにして引き出されて来るものである。なお、開封板の先端に連設する差込み片（１１４）を、正面板（１０３）及び表示パネル（１０８）の差込み線部（１３１及び１３２）の両方に差し込むことにより、天面板（１１２）がしっかりと封止させるものである。また、表示パネルは、開封後に切り離して葉書やカードとして使用することも可能である。また、表示パネルは、折り畳んで紙箱に収納してもよく、長さを伸ばして表示面積をより大きくすることが可能である。
【００１４】
次に、本実施形態の表示パネル引出し型紙箱を成形するブランク（１００）は、図２に示すように、右側から左側へ貼着板（１０１）、左側面板（１０２）、正面板（１０３）、右側面板（１０４）、裏面板（１０５）がそれぞれ縦の折り目線（１２開封板（１１３）の裏面に貼着している紙箱内の表示パネル（１０８）が、天面板（１１２）が開口するにつれて紙箱の正面板（１０３）の裏面に摺接しながら紙箱内に収納する内容物を覆い被せるようにして引き出されて来るものである。１，１２２，１２３，１２４）を介して順次連設し、左側面板（１０２）の上端に左側上フラップ（１０６）を横の折り目線（１２５）を介して連設し、左側面板（１０２）の下端に左側下側ラップ（１０７）を横の折り目線（１２６）を介して連設し、正面板（１０３）の上端に表示パネル（１０８）を横の折り目線（１２５）を介して連設し、正面板（１０３）の下端に外側底面板（１０９）を横の折り目線（１２６）を介して連設し、右側面板（１０４）の上端に右側上フラップ（１１０）を横の折り目線（１２５）を介して連設し、右側面板（１０４）の下端に右側下側ラップ（１１１）を横の折り目線（１２６）を介して連設し、裏面板（１０５）の上端に天面板（１１２）を横の折り目線（１２５）を介して連設し、この天面板（１１２）の上端に開封板（１１３）を横の折り目線（１２７）を介して連設し、この開封板（１１３）の上端中央部位置に差込み片（１１４）を横の折り目線（１２８）を介して連設し、裏面板（１０５）の下端に内側底面板（１１５）を横の折り目線を介して連設し、正面板（１０３）の開封板（１１３）の差込み片（１１４）と対応する位置に差込み線部（１３１）を設け、この差込み線部（１３１）と横の折り目線１２５）を介して対称となる表示パネル（１０８）の位置に差込み線部（１３２）を設け、正面板（１０３）の上端部中央に、開封板（１１３）の裏面に対応する貼付け部（１１６）を、正面板（１０３）の上端の左右両端部から連続させてジッパー引裂き線（１４１）で形成するものである。
【００１５】
ブランクの製箱は、貼着板の表面と裏面板の右端裏面とを接着し、左側下側ラップと右側下側ラップを内側へ折り曲げ、内側底面板の表面と外側底面板の裏面とを接着し、表示パネルを正面板の裏面へ折り込み、内容物を収納し、差込み片を正面板及び表示パネルの差込み線部に差し込み、開封板の裏面を正面板のジッパー引裂き線で形成された貼付け部の表面に貼り付けるものである。このようにすると、紙箱を開封したときに、開封板の裏面に表示パネルが貼着しているため、正面板に設けられたジッパー引裂き線が破断され、図１（ｂ）に示すように、天面板（１１２）が開口するにつれて、表示パネル（１０８）が正面板（１０３）の裏面に摺接しながら紙箱内に収納する内容物を覆い被せるようにして引き出されて来る。
【００１６】
また、表示パネルの巾を、紙箱に収納する内容物よりも広くすると、開封したときに、内容物が表示パネルに覆い隠されるため見えにくく、また、表示パネルの先端の巾を、表示パネルの開封板側の巾より狭くすると、開封したときに、表示パネルが引き出しやすくなる。
【図面の簡単な説明】
【００１７】
【図１】（ａ）は、本発明の一実施形態の表示パネル引出し型紙箱の斜視図であり、（ｂ）は、その紙箱を開封したときに、表示パネルが引き出された状態を示す斜視図である。
【図２】図１に示す表示パネル引出し型紙箱を成形するためのブランクの外側からみた展開平面図である。
【符号の説明】
【００１８】
１０……表示パネル引出し型紙箱
１００……ブランク
１０１……貼着板
１０２……左側面板
１０３……正面板
１０４……右側面板
１０５……裏面板
１０６……左側上フラップ
１０７……左側下フラップ
１０８……表示パネル
１０９……外側底面板
１１０……右側上フラップ
１１１……左側下フラップ
１１２……天面板
１１３……開封板
１１４……差込み片
１１５……内側底面板
１１６……貼付け部
１２１，１２２，１２３，１２４……縦の折り目線
１２５，１２６，１２７，１２８……横の折り目線
１３１，１３２……差込み線部
１４１……ジッパー引裂き線
【図１】
0005098577.tif 000002
【図２】
0005098577.tif 000003